Podtech/llm-jp-corpus-v4-ja_patent huggingface dataset:
(57)【要約】【課題】一般に身体の健康を維持する手段の一つとして、まず歩くことが挙げられる。本考案は、身体に無理な負担をかけることなく、健康維持とともに下半身の運動バランス感覚を培うことができ、身体全体の姿勢改善を図ることができる健康履物を提供する。【解決手段】図１に示す履物の左足用の底台裏面において、底台裏面の内側部１のみが地面に接し、底台裏面の外側部２が地面に接しないような形状構造とする。また、履物の底台の爪先部から踵部に及ぶ裏面を、爪先部、土踏まず部及び踵部の３つに分割し、土踏まず部及び踵部について、足の内側部と外側部とに２分割し、その内側部のみを地面に接する形状とし、該内側部と爪先部とが地面に接する形状構造とする。【選択図】  図１
0003108243.tif 000002
【実用新案登録請求の範囲】
【請求項１】
履物の底台の爪先部から踵部に及ぶ裏面を、足の内側部と外側部とに２分割し、内側部の裏面のみが地面に接する形状構造としたことを特徴とする健康履物。
【請求項２】
履物の底台の爪先部から踵部に及ぶ裏面を、爪先部、土踏まず部及び踵部の３つに分割し、土踏まず部及び踵部について、足の内側部と外側部とに２分割し、その内側部のみを地面に接する形状とし、該内側部と爪先部とが地面に接する形状構造としたことを特徴とする健康履物。
【考案の詳細な説明】
【技術分野】
【０００１】本考案は身体機能を改善し、健康維持とともに下半身の運動バランス感覚を培い、かつ身体全体の姿勢改善を図ることができる健康履物に関する。
【背景技術】
【０００２】一般に身体の健康を維持する手段の一つとして、まず歩くことが挙げられる。そこで従来の健康履物は、履き心地の良さ、歩き易さまたは指圧やダイエットの効果が期待できるものなど、様々な健康履物が考案され多くの人々に愛用されている。【０００３】例えば、腰痛や外反母趾等を防止する健康サンダルとして、サンダル底のつま先部分を高くし、かかと部分を低くした健康サンダル等が下記の特許文献１により提案されている。また、Ｏ脚を改善する履物として、履物の底面を左右両側に向かって上方に傾斜させた底面構造が下記の特許文献２により提案されている。
【特許文献１】  実用新案登録第３０９３８２６号公報
【特許文献２】  実用新案登録第３１００７７７号公報
【考案の開示】
【考案が解決しようとする課題】
【０００４】上述のとおり、様々な健康履物が考案されているが、健康維持とともに下半身の運動バランス感覚を養い、身体全体の姿勢改善に結びつくような履物はいまだ見受けられていない。本考案は、身体に無理な負担をかけることなく、健康維持とともに下半身の運動バランス感覚を培い、身体全体の姿勢改善を図ることができる健康履物を提供する。
【課題を解決するための手段】
【０００５】    本考案の健康履物は、（１）履物の底台の爪先部から踵部に及ぶ裏面を、足の内側部と外側部とに２分割し、内側部の裏面のみが地面に接する形状構造としたことを特徴とする。
また、（２）履物の底台の爪先部から踵部に及ぶ裏面を、爪先部、土踏まず部及び踵部の３つに分割し、土踏まず部及び踵部について、足の内側部と外側部とに２分割し、その内側部のみを地面に接する形状とし、該内側部と爪先部とが地面に接する形状構造としたことを特徴とする。
【考案の効果】
【０００６】履物の底台の地面に接する面を、左側部と右側部とに２分割し、該左側部と右側部の底面のうち、足の内側部となる低面のみが地面に接する形状としたことにより、日常生活における歩行の際など、今まで無意識に足の裏面全体にかけていた体の重心を、意識的に足の内側部に移動させて行動することにより、大腿部の内側の筋肉が鍛えられ、これにより健康増進及び維持が図られ、また、下半身の運動バランス感覚が培われ、かつ身体全体の姿勢が改善される。
【考案を実施するための最良の形態】
【０００７】    本考案による履物の底台の構造を、図面を参照して説明する。図１は本考案の履物の左足用の底台裏面（下側から見た平面図）を示す。同図において、１は左足用の底台裏面の内側部、２は左足用の底台裏面の外側部である。【０００８】    図２は本考案の左足用の履物の爪先側から見た正面図である。符号１及び２は、図１の符号と同様に、１は左足用の底台裏面の内側部、２は左足用の底台裏面の外側部である。３は足の甲が覆われる部分である。図３は本考案の左足用の履物の踵側から見た正面図である。符号１及び２は、図１の符号と同様に、１は左足用の底台裏面の内側部、２は左足用の底台裏面の外側部である。４は足の踵が覆われる部分である。【０００９】    図１〜図３に示すように、履物の底台を左側部と右側部とに２分割し、該左側部と右側部の底面のうち、足の内側部となる低面１のみが地面に接する形状としたことにより、今まで無意識に足の裏面全体にかけていた体の重心を、意識的に足の内側部に移動させて歩いたりすることとなる。【００１０】    なお、右足用の履物の底台については図示を省略しているが、左足用の履物と同様に、足の内側部となる低面のみが地面に接するよう、左足用の履物と左右対称の形状とする。【００１１】    また、図２及び図３では、地面に接しない外側部の形状として、接地部から上方に傾斜している形状を開示しているが、この形状に限定されず、外側部が地面に接しない形状であればよく、例えば、内側部と外側部とに階段状の段差を設けた形状としてもよい。【００１２】    また、体の重心を足の内側部のみに移動させて歩行しなければない苦痛感をやや和らげるため、履物の底台の裏面を爪先部、土踏まず部、踵部の３つに分割し、土踏まず部及び踵部について、足の内側部と外側部とに２分割し、その内側部のみを地面に接する形状とし、この内側部と爪先部とが地面に接する形状構造としてもよい。
【産業上の利用可能性】
【００１３】    本発明による履物は、ウォーキングシューズ、スポーツシューズ、ビジネスシューズ、ミュール、サンダル等の履物に適用される。特に、ダンス練習用や足の内側に力を入れることが要求されるスポーツのトレーニング用等に好適に適用される。
【図面の簡単な説明】
【００１４】
【図１】    履物の左足の裏面を示す図である。
【図２】    履物の左足の爪先正面を示す図である。
【図３】    履物の左足の踵の正面を示す図である。
【符号の説明】
【００１５】    １  左足用の底台裏面の内側部
２  左足用の底台裏面の外側部
３  左足用の履物の甲を覆う部分
４  左足用の履物の踵を覆う部分
【図１】
0003108243.tif 000003
【図２】
0003108243.tif 000004
【図３】
0003108243.tif 000005
(57)【要約】      （修正有）【課題】紐の先を車の下を通し反対側に持って行くには、放り投げたりしても大変であった。【解決手段】紐に鋼をはさみ、真っ直ぐなるようにして、車の反対側で、紐の先端を確実に取ることが出来るようにした。収納の時は薄い鋼の為、巻き取ることが出来る。【効果】輪にした、又は二重にした紐の間に鋼を通して、紐がぴんとまっすぐなる様にしたことにより、前輪と後輪の間に紐を通し易くした。【選択図】図３
0003108245.tif 000002
【実用新案登録請求の範囲】
【請求項１】
紐に薄い鋼を挟み、延ばしたり丸めたり出来るようにしたボディカバー固定用紐。
【考案の詳細な説明】
【考案の詳細な説明】
【技術分野】
【０００１】本考案はボディカバーを車に固定する紐に関する。
【考案が解決しようとする課題】
【０００２】  従来のボディカバー固定用の紐はまっすぐならないので、車体の下を通して中央を固定するのは困難であった。
【課題を解決するための手段】
【０００３】  上記目的を達成するために，紐に薄い鋼を挟み、紐をピンと真っ直ぐ伸ばしたり、収納の時は丸めることが出来るようにした。
【考案の効果】
【０００４】  本考案は紐に鋼をはさみ、真っ直ぐなるようにして、車の反対側で、紐の先端を確実に取ることが出来る。カバーに取り付けた鋼をはさんだ紐でカバーの両サイドを車にしっかりと縛ることが出来る為、風でカバーがパタパタしない。収納の時は丸めて小さく出来る。
【図面の簡単な説明】
【図１】紐の全体図である。
【図２】紐の断面図である。
【図３】実施例である。
【符号の説明】
１  紐
２  鋼
３  ボディカバー
４  前輪
５  後輪
【図１】
0003108245.tif 000003
【図２】
0003108245.tif 000004
【図３】
0003108245.tif 000005
(57)【要約】【課題】ソフトテニスボールの汚れを効率的かつ、効果的に洗浄する事。【解決の手段】回転ドラムの外周に、研磨材を埋め込んだボールの一部が露出する深さのカップを直角に設け、露出したボール面には裏蓋の内側に設けた研磨材を張り付けた、ボールカップキャップがかぶさり、結果、二点の摩擦点ができることにより、柔らかいボールでもボールカップ内で不規則に回転するため、むらなく表面を研磨する事が出来る。【選択図】図１
0003108208.tif 000002
【実用新案登録請求の範囲】
【請求項１】
ボールカップを回転ドラムに対して垂直に配置させたもの。
【考案の詳細な説明】
【技術分野】
【０００１】本考案は、汚れ易いソフトテニスボールの洗浄を目的とする。
【考案の開示】
【考案が解決しようとする課題】
【０００２】簡易な方法で、複数のボールをいっきに洗浄出来、どこへでも持ち運び出来ることを、主眼とした。
【課題を解決するための手段】
【０００３】ソフトテニスボールは文字どうり柔らかいゴム製のため、土のコートではすぐに黒く汚れてしまう欠点に対し、液体クレンザーを用いて洗浄、白色化する。
【考案の効果】
【０００４】複数個のボールを一度に、洗浄出来能率的であり楽しいプレーが出来る。
【図面の簡単な説明】
【０００５】
【図１】ソフトテニスボール洗浄器本体
【図２】本体の断面図で、回転ドラムにボールカップを配置した説明図である。
【符号の説明】
【０００６】１  本体ケース
２  回転用ハンドル
３  裏蓋
４  回転ドラム
５  ボールカップ
６  ナイロンタワシ
７  ナイロンタワシ
８  ボール
９  ボールカップキャップ
【図１】
0003108208.tif 000003
【図２】
0003108208.tif 000004
【手続補正書】
【提出日】平成16年11月25日(2004.11.25)
【手続補正１】
【補正対象書類名】実用新案登録請求の範囲
【補正対象項目名】全文
【補正方法】変更
【補正の内容】
【実用新案登録請求の範囲】
【請求項１】
ボールカップを回転ドラムに対して垂直に配置させたソフトテニスボールの洗浄器
(57)【要約】【課題】本考案は、就寝時さらに就寝中、肩が冷えて眠れないと感じた方に又、毛布と布団がずれて不快感を生じた方に肩カバー付き布団カバーが優れた寝具用として提供するものである。【解決手段】布団カバーの下側上縁寄りにたすき状の布、肩カバーを脱着自在に取り付けた肩カバー付き布団カバー。肩カバーは取付け部分中央と側面に取り付け肩をすっぽり包む感じで形成される。【選択図】図３
0003108719.tif 000002
【実用新案登録請求の範囲】
【請求項１】
布団カバーの下側、上縁寄りの中央部分から、布団カバーの下側横縁寄りの中央部分に左右１本づつたすき状に帯状の布を取り付けた事を特徴とする肩カバー付布団カバー。
【請求項２】
布団カバーの下側、上縁寄りの中央部分と布団カバーの下側、横縁寄りの中央部分左右に、脱着自在な取り付け部材を備える事を特徴とする請求項１に記載された肩カバー付き布団カバー。
【請求項３】
肩カバーが暖みを保つ為に、請求項１に記載されたものの中央下縁の首回りに接する部分を丸く浅くカットした事を特徴とする請求項１、又は２に記載された肩カバー付き布団カバー。
【請求項４】
肩カバーだけでなく、請求項１に記載されたものを布団カバー下側下縁寄りと布団カバー下側横縁寄りの中央部分左右にもう１組付けると毛布を額縁のように入れると毛布ストッパーとしても使用出来、上部と下部を同時に取り付ける型成も特徴とする請求項１又は２に記載された肩カバー付き布団カバー。
【考案の詳細な説明】
【技術分野】
【０００１】本考案は就寝時肩口及び首回りを包み、毛布ストッパーの役目も可能な肩カバーを取り付けた布団カバーに関する。
【背景技術】
【０００２】肩カバーを取り付けた布団カバーとしては今迄に例がなく、本出願人の出願する以前に実開平６−８６６３８号公報に記載された衿カバー付き布団カバーが公知である。この衿カバー付き布団カバーは衿カバーを上縁に沿って取り付けたものであり、上記公報記載のごとく衿カバーが肩口や首回りを緩やかに包み隙間風の侵入を防止する事が出来るが問題点がある。
【考案の開示】
【考案が解決しょうとする課題】
【０００３】すなわち上記公報の衿カバー付き布団カバーにおいては例えば寝返りを打つ時など襟元や肩口付近を覆う衿カバーが身体の動きに追随して動き（寝返りであれば捻れ回転する）それに伴い布団カバーが下に引っ張られ布団カバーの中の布団も下に引っ張られる形となるので重苦しさを感じてしまうことになる。
【課題を解決するための手段】
【０００４】本考案、肩カバー付き布団カバーは、上記例の問題点を全て解決されたもので、掻巻き布団と布団を合せ両方の利点を生かしその上簡素にしたことを特徴とするものである。
又、本考案の好適な実施態様として肩カバーを肩元と足元の２ヶ所付ける事で毛布と布団のずれを防ぎ、取りはずしもボタン等で脱着自在である。これにより上記課題を解決するものである。
【実施例】
【０００５】以下図１〜図４を参照して本考案に関わる肩カバー付布団カバーを具体的に説明する。まず図１に示すのは、一人用のもので肩カバー１１は全体として見ると中央から２本の帯状布が布団カバー１２の左右に取り付けこの構造は、本質的に未公報のものと思われます。【０００６】図３Ｘ及び図３Ｙは上記肩カバー付き布団カバーの使用状態を示す。就寝姿勢がいろいろ変化しても肩口や首回りにもよくぴったり合って又中央から両側に渡した為いつも肩は隙間が出来ない。【０００７】図４は毛布を用いた肩カバー付布団カバーを示す。肩カバー１１ａ、１１ｂを上下部に付ける事により布団と毛布のずれを解消出来る。
【考案の効果】
【０００８】本考案によれば就寝中に姿勢がいろいろ変化しても肩口や首回りを暖く包み隙間風の侵入を防止することのできる肩カバー付き布団カバーを得る事が出来る。又肩カバーと布団カバーを互いに脱着自在な取付部材を備える時は、冬季のみ肩カバーを取り付け、他の季節は取り外し、布団カバー自体は１年を通じて使用することが出来る他肩カバーのみ取り出して洗濯することも可能となる、さらに肩カバーと布団カバーを縫い付けても肩カバーを表側に折り返す事も出来るので夏季など通常の布団カバーとして使用出来る。そして、肩カバーを上部下部取り付ければ毛布ストッパーとして活用出来、肩口の冷えを防止する効果が得られる。
【図面の簡単な説明】
【０００９】
【図１】本実施例の肩カバー付き布団カバーの正面図である。
【図２】本実施例の肩カバー付き布団カバーの側面図である。
【図３】本実施例の肩カバー付き布団カバーの使用状態を説明する側図である。
【図４】本実施例の肩カバー２個使用付き布団カバーの毛布使用状態の正面図である。
【符号の説明】
【００１０】１１ａ  肩カバー
１２    布団カバー
１３    毛布
Ｈ      首回りに接する部分
１１ｂ  肩カバー２個目（下部取付け）
【図１】
0003108719.tif 000003
【図２】
0003108719.tif 000004
【図３】
0003108719.tif 000005
【図４】
0003108719.tif 000006
(57)【要約】 【課題】  この考案は、子どもが一人でかばんを背負うことができるよう、かばんの肩ひもの左右を識別できるかばんを得ることを課題とするものである。【解決手段】  この考案のかばんは、２本以上の肩ひもを備え、背負うことができるかばんの肩ひも２に、背負う際に肩ひもの左右を識別するための目印３を付して構成する。  前記目印は、子どもの注意を引きやすい何らかのキャラクターを用いることが好ましいが、これに限られるものではなく、絵や文字であってもよい。【選択図】  図１    
0003108726.tif 000002
【実用新案登録請求の範囲】
【請求項１】
左右の肩ひもを備え、背負うことができるかばんであって、左右何れか一方又は双方の肩ひもに、背負う際に肩ひもの左右を識別するための目印を付したかばん
【請求項２】
目印は、背負ったときに目立つように肩ひもの中央部に付した、請求項１記載のかばん
【請求項３】
目印はキャラクター図柄とした、請求項１又は２に記載のかばん
【考案の詳細な説明】
【技術分野】
【０００１】
この考案は、左右の肩ひもを備え、背負うことができる子ども用のかばんに関するものである。
【背景技術】
【０００２】
従来より、リュックサックのように背負うことができる子ども用のかばんは種々提供されているが、大人用のかばんを子どもが背負えるように小型化しただけのものがほとんどであった。
【０００３】
リュックサックのように背負うことができるかばんを初めて背負う子どもは、自分で背負うことができず、親にかばんを持ってもらい、子どもは後ろ向きになって「右腕を通して」「左腕を通して」のように親に声をかけてもらいながらかばんを背負わせてもらう。このように親に手伝ってもらうと、子どもは後ろ向きになっているから自分に見えない間にかばんを背負うことができてしまい、自分一人で背負おうとしたときにはどちらの肩ひもにどちらの腕を通して背負えばいいのか分からず、背負うことができない。
特に、かばんの肩ひもは左右対称に構成されている上、幼児期には左右の感覚が定まっていないことから、かばんの肩ひもが自分と対向した場合の左右の関係が分からない。すなわち、肩ひもが設けられている側が自分に対向しているかばんを背負う場合には、右腕を左側の肩ひもに通さなければならないということが分からない。したがって、右腕をかばんの肩ひもに通そうとする際に、自分に対向するかばんのどちら側の肩ひもに通せばいいのか分からず、かばんをうまく背負うことができない。
【考案の開示】
【考案が解決しようとする課題】
【０００４】
この考案は、子どもが一人でかばんを背負うことができるよう、かばんの肩ひもの左右を識別できるかばんを得ることを課題とするものである。
【課題を解決するための手段】
【０００５】
この考案のかばんは、左右の肩ひもを備え、背負うことができるかばんの左右何れか一方又は双方の肩ひもに、背負う際に肩ひもの左右を識別するための目印を肩ひもに付して構成する。
かばんは左右の肩ひもを備え、肩ひもを利用して背負うことができるものであればよく、リュックサックの他、ナップザック、ランドセルのようなものが考えられる。
肩ひもの左右を識別するための目印は、子どもの注意を引きやすい何らかのキャラクターを用いることが好ましいが、これに限られるものではなく、絵や文字であってもよい。また、前記目印は何れか１本の肩ひもに付すのが好ましいが、それぞれ異なるものとすれば、複数本の肩ひもに付してもよい。
また、前記目印は、かばんを背負っていないとき、及びかばんを背負ったときの何れの状態においても子どもに見えやすい位置に付すのがよく、例えば、肩ひもの中央部に付して背負ったときに胸の位置に目印がくるようにすることが好ましい。
【考案の効果】
【０００６】
この考案において、肩ひもには左右を識別する目印が付されていることから、子どもはかばんを背負う際に、どちらの肩ひもに左右どちらの腕を通せばよいかを認識することができ、腕を通すべき肩ひもを正しく認識し、混乱することなくかばんを背負うことができる。
特に、前記目印としてキャラクター図柄を用いれば、子どもの注意がすぐに目印に行くだけでなく、「このキャラクターの図柄があるからこっちの腕」のように、子どもにとってより関連づけやすいものとなる。そして、目印を意識してかばんを背負うことの反復により、かばんの肩ひもの左右の感覚が身に付き、一人でかばんを背負うことができるようになる。
また、肩ひもにはかばんを背負った状態でも見やすい位置に目印が付しておくと、子どもは背負った状態で肩ひもの目印を見ることができ、背負った状態で自分と肩ひもの位置関係を認識することができる。
【考案を実施するための最良の形態】
【０００７】
以下に、最良の形態としての実施例を示す。  
かばん１には肩ひも２が設けられており、肩ひも２の一方にはキャラクター図柄を用いた目印３が付されている。目印３は子どもがかばん１を背負ったときに胸の位置に位置するように、かつ、かばんを背負っていないときにも見えやすい位置に付されている。
また、上記に加えて左右の肩ひもにはそれぞれ識別表示４，５が付されており、この識別表示によっても左右を識別できるようにしてある。前記識別表示４，５としては、例えばそれぞれ異なる色彩を付したり、異なる図柄を付したりする態様が考えられる。また、文字で「みぎ」「ひだり」と文字で表示してもよい。
【０００８】
前記肩ひも２は、ずれおちにくいように下部が幅広としてあり、左右の肩ひもの幅広部分を重ね合わせてボタン６その他の係止具で止めることができるようにしてある。
【０００９】
子どもがかばん１を背負うとき、図に示すかばんであれば、目印３を注目して目印３が付されている肩ひもに右腕を通せばよい。子どもは「目印に右腕」と覚えていれば、左右を取り違えることなくスムーズにかばんを背負うことができる。
子どもはかばん１を背負った状態で目印３を見ることができるから、かばん１を背負った状態における自分とかばんの肩ひもの位置関係を認識することができる。例えば、目印が自分の右側に位置していた場合には、かばんを背負うときには右腕に目印３が付された肩ひもを通せば適切に背負うことができることを理解する。したがって、次回からかばんを背負う際には目印３が付された肩ひもを自分の右腕に通そうとするようになり、肩ひもの左右を間違えずに一人でかばんを背負うことができるようになる。
【産業上の利用可能性】
【００１０】
この考案のかばんは、背負うことができる子ども用のかばんに関するものであり、産業上利用し得るものである。
【図面の簡単な説明】
【００１１】
【図１】この考案の正面図である。
【符号の説明】
【００１２】
１  かばん
２  肩ひも
３  目印
【図１】
0003108726.tif 000003
(57)【要約】【課題】構造が極めて簡単で、誤作動のような機構上の欠陥も生じ得ない扉開閉阻止具を提供すること。【解決手段】観音開き扉５の一方扉面５ａに吸着する一方吸盤１ａと、他方扉面５ｂに吸着する他方吸盤１ｂとを扉開放阻止紐４により連結固着する。【選択図】図２
0003108738.tif 000002
【実用新案登録請求の範囲】
【請求項１】
観音開き扉の一方扉面に吸着する一方吸盤と、他方扉面に吸着する他方吸盤とを扉開放阻止紐により連結固着したことを特徴とする観音開き扉の地震開放阻止具。
【請求項２】
扉開放阻止紐は、ワイヤー又は、このワイヤーを芯材にしてこれに合成樹脂若しくはゴムを被覆してなる請求項１に記載の観音開き扉の地震開放阻止具。
【請求項３】
扉開放阻止紐は、ガラス繊維、合成樹脂繊維、鋼製繊維若しくは動・植物繊維のうちの一つ又は複数を編み込んでなる観音開き扉の地震開放阻止具。
【考案の詳細な説明】
【技術分野】
【０００１】  本考案は、地震、特に大規模地震の際、観音式扉で構成される家具内の配置物品が揺れの作用で扉を押し開き、外に飛び出さないようにするための扉開放阻止具に関する。
【背景技術】
【０００２】  地震の際、開き戸の開放を阻止する開き戸の開放阻止装置として、従来から「特許文献１」に示す技術が開示されている。この装置は、開き戸の上部の家具本体側に、両開き戸に跨り上方に弾力を持たせた板ばねとこの板ばね下面に板金具が配設され、板ばねの両端下部には板状の磁石が固着されている。また、この磁石部分の板ばね側には、板金具と遊嵌する係止ピンが下方に向けて植設されており、この係止ピンを受ける係止孔が開き戸側に穿設されている。したがって、通常の状態では、係止ピンは、板ばねの作用により係止孔から上方に離れているため、両開き戸は自由に開閉できるようになる。【０００３】  そして、地震の際の振動で、家具本体の振幅が大きくなると、その振幅につれ、板ばねの一方側がその上方弾力に抗して磁石を板金具に吸着させ、その結果、係止ピンが開き戸側の係止孔に嵌入して一方側の開き戸の開放を阻止する。他方側の開き戸も同様の作用により開放が阻止されることになる。【０００４】
【特許文献１】実用新案登録第３０２６１０６号公報
【考案の開示】
【考案が解決しようとする課題】
【０００５】    しかしながら、上記従来技術では、装置自体が複雑であって、板ばねの弾力性能にムラ等があった場合には、誤作動を起こすこともある。【０００６】  本考案は、上記問題点を解決するもので、構造が極めて簡単で、誤作動のような機構上の欠陥も生じ得ない扉開閉阻止具を提供するものである。
【課題を解決するための手段】
【０００７】  本考案者は、一般生活上、あるいは工業的に広く利用されている吸盤に着目し、この吸盤同士を紐で結んで観音開きの扉に跨らせて吸着させれば、紐の部分が扉の開放を阻止できるのではないかとの発想を具体化したものである。【０００８】  すなわち、本考案による地震開放阻止具は、観音開き扉の一方扉面に吸着する一方吸盤と、他方扉面に吸着する他方吸盤とを扉開放阻止紐により連結固着したことを特徴とするものである。
【考案の効果】
【０００９】  一対の吸盤と扉開放阻止紐という極めて単純な構造で、地震時における観音開き扉の開放を確実、かつ誤作動なしに阻止することができる。
【考案を実施するための最良の形態】
【００１０】  以下に、本考案を実施するための最良の形態を図に従って説明する。吸盤１は合成樹脂又はゴムにより成形され、一方吸盤１ａと他方吸盤１ｂにより構成されている。吸盤１の頂部には固着部２が突設され、その周縁部には吸着解除つまみ３が形成されている。吸盤１の直径に制限はないが、吸着性能上７ｃｍ前後が好ましい。そして、一方吸盤１ａと他方吸盤１ｂの固着部２間に扉開放阻止紐４が連結固着されている。この扉開放阻止紐４の固着部２間の距離は、その目的達成上１０ｃｍ〜１５ｃｍ程度が好ましい。このような扉開放阻止紐４は、ワイヤーを用いることも可能あるが、このワイヤーにを芯材にしてこれに合成樹脂若しくはゴムを被覆したものがより好ましい。また、ガラス繊維、合成樹脂繊維、鋼製繊維若しくは動・植物繊維のうちの一つ又は複数を編み込んで成形することもできる。【００１１】  本考案の適用される観音開き扉５は、扉部にガラス窓の付いた食器戸棚や書棚等の家具類、扉面が平滑面の冷蔵庫類の扉である。また、扉面に平滑面のない観音開き扉でも、扉面に貼り着けられる貼着面を備えた補助円板（図示省略。）を用いることで適用することができる。【００１２】  以下に、使用法を説明すると、扉開放阻止紐４を観音開き扉５の一方扉面５ａと他方扉面５ｂに跨るようにした状態で、吸盤１の一方吸盤１ａを一方扉面５ａに、他方吸盤１ｂを他方扉面５ｂにそれぞれ吸着させる。このとき、扉開放阻止紐４は、弛ませないようにして張ることが肝心である。【００１３】  地震発生の際、揺れにより観音開き扉５は開放方向に作用するしようとするが、吸盤１によって強固に保持された扉開放阻止紐４がその開放を阻止しているので、観音開き扉５は開放することはない。このとき、内部に収納した食器類や書籍類等が積みズレや収納ズレを起こした場合にも、開放を阻止された観音開き扉５がそのズレを最小限に防ぐため、収納物が観音開き扉５を押し開いて外に飛び出す事態を避けることができる。観音開き扉５を開ける場合には、吸盤１の一方の吸着解除つまみ３を引き摘まむことで、吸盤１は容易に外すことができる。
【図面の簡単な説明】
【００１４】
【図１】  本考案による観音開き扉の地震開放阻止具の正面図である。
【図２】  本考案による観音開き扉の地震開放阻止具を観音開き扉に適用した一例を示す斜視図である。
【符号の説明】
【００１５】  １    吸盤
２    固着部
３    吸着解除つまみ
４    扉開放阻止紐
５    観音開き扉
【図１】
0003108738.tif 000003
【図２】
0003108738.tif 000004
【手続補正書】
【提出日】平成17年1月19日(2005.1.19)
【手続補正１】
【補正対象書類名】実用新案登録請求の範囲
【補正対象項目名】請求項３
【補正方法】変更
【補正の内容】
【請求項３】
扉開閉阻止紐は、ガラス繊維、合成樹脂繊維、鋼製繊維若しくは動・植物繊維のうちの一つ又は複数を編み込んでなる請求項１に記載の観音開き扉の地震開放阻止具
(57)【要約】      （修正有）【課題】辞書や電子辞書や外国語テキストなどを使って外国語表現を探すのには時間がかかり、その外国語に堪能でない人にとって外国でのコミュニケーションは大きな不安である。本考案は、外国語表現を短時間に検索でき、語学学習の精神的時間的負担を解決するための語学学習用教材を衣服の形で提供する。【解決手段】日本語と英語など２カ国語以上同時併記の生活表現集や単語集や旅行会話集などを衣服、Ｔシャツやトレーナーの前身など視認できる部位に着用者が見やすいように逆さまに印刷、更に表現集は表現使用場面ごとに表現を配列し、その表現使用場面が瞬時にわかるようにその場面のイメージを図柄で表すことにより、外国でこの衣服を着用すれば、それを見下ろすだけで話したい表現がすぐ見つかるためコミュニケーションが円滑になり、辞書や電子辞書や外国語テキストなどを使って表現を探すのに時間がかかっていたという従来の問題点を解決している。【選択図】図１
0003108788.tif 000002
【実用新案登録請求の範囲】
【請求項１】
衣服、半そで長そでＴシャツやトレーナーの前身などの視認できる部位に着用者が見やすいように正面から見て逆さまに、日本語と英語など２か国語以上同時併記の生活表現集や単語集や旅行会話集などを印刷などして載せる語学学習用衣服。
【請求項２】
衣服、半そで長そでＴシャツやトレーナーの前身などの視認できる部位に日本語と英語など２か国語以上同時併記の生活表現集や単語集や旅行会話集などを印刷などして載せる語学学習用衣服。着用者が見やすいように、表現使用場面ごとに表現を配列し、その表現使用場面を瞬時に認識するために、その表現配列の先頭にその場面をイメージさせる図柄を提示する。
【考案の詳細な説明】
【技術分野】
【０００１】  本考案は、外国語学習や、外国滞在時にその外国語の重要生活表現が瞬時にわかりコミュニケーションが円滑に行われるための、衣服、半そで長そでＴシャツ、トレーナー等に関するものである。
【背景技術】
【０００２】  外国滞在や旅行の際、レストランや買い物や乗り物で現地の人とコミュニケーションを取らなければならい時、辞書や電子辞書や外国語テキストなどを使って表現を探しコミュニケーションに時間がかかっていた。また、従来の学習用教材は時間的精神的負担が大きかった。
【考案の開示】
【考案が解決しようとする課題】
【０００３】  従来の学習用教材は時間的精神的負担が大きかったが、本考案は、衣服として身につけるものであるから学習用教材としての嫌悪感や時間的負担が少なく、常時目にするので覚えも早い。また従来の辞書や電子辞書や外国語テキストなどを使って外国語表現を探す手段には時間がかかり、その外国語に堪能でない人にとって外国でのコミュニケーションは大きな不安になっている。それらを解決するためには、着用している衣服、Ｔシャツやトレーナーの前身などに日本語と英語など２カ国語以上同時併記の重要生活表現集を印刷などして載せれば、瞬時に話したい言葉を探すことができる。それに、その表現集を着用者から見やすいように正面から見て逆さまに印刷し、更に、表現使用場面ごとに表現を配列し、その表現使用場面のイメージを図柄で表すことにより一層認識しやすく、前述の欠点を解決しようとするものになる。
【課題を解決するための手段】
【０００４】  本考案は、日本語と英語など２カ国語以上同時併記の生活表現集や単語集や旅行会話集などを衣服、Ｔシャツやトレーナーの前身などに着用者が見やすいように正面から見て逆さまに印刷、更に表現集は表現使用場面ごとに表現を配列し、その表現使用場面が瞬時にわかるようにその場面のイメージを図柄で表すことにより、外国でこの衣服を着用すれば、それを見下ろすだけで話したい表現がすぐ見つかるため、辞書や電子辞書や外国語テキストなどを使って表現を探すのに時間がかかっていたという従来の問題点を解決し、また学習用教材としての従来の嫌悪感や時間的負担を軽くしている。
【考案の効果】
【０００５】  上述の様に、本考案の衣服は前身などの視認できる部位に日本語と英語など２カ国語以上同時併記の生活表現集や単語集や旅行会話集などを印刷などして載せることにより、瞬時に話したい言葉を探すことができる。しかも、その表現集は着用者から見やすいように正面から見て逆さまに印刷されていて、更に表現集は表現使用場面ごとに表現を配列し、その表現使用場面が瞬時にわかるようにその場面のイメージを図柄で表すことにより、探したい表現を一層早く認識できる。外国でこの服を着用すれば、辞書等を使わなくても着用した衣服を見下ろすだけで話したい表現がすぐ見つかるので、レストラン、買い物、交通機関などでのコミュニケーションが円滑になる。もちろん日本語対他外国語だけでなく、各種言語間の語学学習用、旅行用として応用できる。また、衣服として身につけるものであるから学習用教材としての嫌悪感がなく、常時目にするので覚えも早い。加えて、逆さま文字の衣服を身につけることで周囲からも興味を持たれ話題になり楽しみながら語学学習ができる。さらに、衣服なので汚れたら洗濯もできる。
【考案を実施するための最良の形態】
【０００６】  衣服、春夏は半そで長そでＴシャツ、秋冬はトレーナーなどの前身など、衣服の表面に着用者が見やすいように逆さまに日本語と英語など２カ国語以上同時併記の生活表現集や単語集や旅行会話集などを印刷などして載せる。更に表現集は表現使用場面ごとに表現を配列し、その表現使用場面が瞬時にわかるようにその場面のイメージを図柄で提示する。
【図面の簡単な説明】
【０００７】
【図１】本考案の、語学学習用衣服の一実施例を示す正面図である。
【符号の説明】
【０００８】  １  衣服本体
２  場面ごとの表現配列の先頭にその場面をイメージさせる図柄
３  正面から見て逆さまに、着用者から見て整列に、日本語と英語など２カ国語以上同時併記の表現集
【図１】
0003108788.tif 000003
【手続補正書】
【提出日】平成16年10月13日(2004.10.13)
【手続補正１】
【補正対象書類名】実用新案登録請求の範囲
【補正対象項目名】全文
【補正方法】変更
【補正の内容】
【実用新案登録請求の範囲】
【請求項１】
Ｔシャツやトレーナーに、外国旅行での会話が簡単になるように、外国語会話や単語を２カ国語以上で表示したＴシャツやトレーナー。
【請求項２】
Ｔシャツやトレーナーに、外国語学習や旅行用の外国語会話や単語を、着衣者が見やすいように逆さまに表示したことを特徴とするＴシャツやトレーナー。
(57)【要約】      （修正有）【課題】就寝時など照明を落とした状態で家電製品の操作をする場合、リモコンを探したり操作するのに便利になる。【解決手段】リモコン本体の一部３上の操作（ボタン１やメーカー名ロゴ２など）に長時間発光する夜光塗料・樹脂・シールを使用する。利用者にブランドを刷り込む広告的副次効果も得られる。【選択図】図１
0003108786.tif 000002
【実用新案登録請求の範囲】
【請求項１】
家電製品のリモコン本体に長時間発光する夜光塗料・樹脂・シールを使用する
【請求項２】
家電製品のリモコン本体に、夜光塗料・樹脂・シールなどを使い文字を表示させる
【考案の詳細な説明】
【技術分野】
【０００１】本考案は暗い場所で家電リモコンを容易に発見・操作するための機能に関する技術である（国際特許分類  Ａ４７Ｇ２９／３０）
【背景技術】
【０００２】従来の家電リモコンは、操作時にボタンもしくは液晶画面を内蔵電池により発光させる機能のみである
【考案の開示】
【考案が解決しようとする課題】
【０００３】就寝時などにエアコンなどの家電製品を操作する場合、眠っている他者を起こさないよう照明を落としたままリモコンを探すことは極めて不便である。家庭に複数のリモコンが導入されている現状では、リモコンを個別に識別する必要もある
【課題を解決するための手段】
【０００４】リモコン本体の一部（ボタンやメーカー名ロゴなど）に長時間発光する夜光塗料・樹脂・シールを使用する
【考案の効果】
【０００５】暗い場所でのリモコン操作が飛躍的に便利になる。メーカー名（ブランド）を夜光にした場合は、利用者にブランドを刷り込む広告的副次効果も得られる
【考案を実施するための最良の形態】
【０００６】
【実施例１】
【０００７】就寝時にリモコン使用頻度が高い家電製品として、まずエアコンが挙げられる。電源ボタンならびに運転切り替え、タイマーボタンなどを夜光パーツ化することで操作を容易にする
【実施例２】
【０００８】テレビやビデオ、ＤＶＤといったオーディオ・ビジュアル系機器などにおいてはリモコン使用頻度が高いことに加え、利用者のブランドに対するこだわりも大きい。複数使用のケースが大半で、夜光によるリモコン識別は利点になる
【実施例３】
【０００９】赤子のいる家庭では寝付いた後に照明をつけることは事実上不可能である。エアコン以外にも、扇風機や安眠させるためのオーディオ機器、冬期は暖房器具など多くの家電製品を使用する。暗所でのリモコン識別がもっとも求められる状況である
【図面の簡単な説明】
【００１０】
【図１】リモコン夜光部分を示した立面図である。１は操作ボタン、２はメーカー名やブランドなどのロゴ、３は本体外端のそれぞれ夜光想定部位である
【図１】
0003108786.tif 000003
【手続補正書】
【提出日】平成16年10月14日(2004.10.14)
【手続補正１】
【補正対象書類名】実用新案登録請求の範囲
【補正対象項目名】全文
【補正方法】変更
【補正の内容】
【実用新案登録請求の範囲】
【請求項１】
本体に長時間発光する夜光塗料・樹脂・シールを使用する家電製品リモコン
【請求項２】
本体に夜光塗料・樹脂・シールなどを使い文字を表示させる家電製品リモコン
(57)【要約】      （修正有）【課題】棚板と側板を組合せ、容易に抜けにくい陳列ヒナ段を提供する。【解決手段】溝と抜け止め爪を有する前板、底板、背板一体コ型の棚板と、棚板に対応する縦溝と角穴を設けた側板を組み合わせることにより陳列ヒナ段を作成する。【選択図】図１
0003108782.tif 000002
【実用新案登録請求の範囲】
【請求項１】
前板、側板、背板一体の棚板。
【請求項２】
棚板の溝穴の一部に抜け止め爪を設ける．
【請求項３】
側板に棚板の溝穴と抜け止め爪に対応する縦溝穴と角穴を設ける。
【考案の詳細な説明】
【考案の詳細な説明】
【技術分野】
【０００１】本考案は、薄板陳列ヒナ段ケースを簡単に組立て、容易にそれぞれの板が抜けない方法に関する．
【背景技術】
【０００２】従来、薄板で箱型ケースを作成する場合、次のような方法で製作している。ひとつは薄板を接着剤で貼り合わせる．又は、平板な薄板に溝を設け、溝と溝との組合せる、あるいは薄板を巧妙に折り曲げて箱体にしたり、又はそれらを組み合わせると方法で箱を作っている．貼り合わせた状態の箱では体積が増え輸送費が掛かり、保管場所が広くいる。従来の組立て方法ではコンパクトな包装形態になるが、組立て方法が複雑で、手間が掛かり、出来あがった箱は棚板と側板が抜けると言う問題があった。
【本考案が解決しようとする課題】
【０００３】薄板を底板、前板、背板に一体に折り曲げ加工したコ型の棚板に溝穴と爪を設け、棚板の溝と抜け止め爪に対応する縦溝と角穴を有する側板を組み合わせることにより、強度的に十分なヒナ段陳ケースを簡単に組立て、おたがいの板が抜ける問題の解決をめざす。
【０００４】本考案は上記不都合を解決し、誰もが簡単に、容易に板が抜けないヒナ段陳列什器を組立てる考案である。
【課題を解決するための手段】
【０００５】上記目的を達成するために、底板と前板、背板が一体になったコ型に曲げた薄板の両端に所定の溝穴と抜け止め爪を設けた必要な段数個の棚板と、側板に棚の溝穴と抜け止め爪に対応する縦溝穴と角穴を有する２枚の側板で構成する。
【考案を実施するための最良の形態】
【０００６】発明の実施の形態を実施例にもとずき図面を参照に説明する。本図は３段の場合について説明する。段数の多少にかかわらず組立ての要領は同じである．【０００７】図２は所定寸法の薄板の両側に溝穴５と爪６を設け、コ型の底板３、前板２、背板４一体の棚板１である．棚板は必要段数個製作する．【０００８】図３は棚板１の溝穴５に対応する縦溝穴８と、爪抜け止め角穴９を設けた側板７である。側板は左右同型の２個製作する。【０００９】図１の実施例では、一つ目の棚板１の左右の溝穴５に側板７の最前列と２番目の縦溝穴８に合わせ、棚板１の溝穴５を側板７に差込む．【００１０】図４の実施例で、側板７の角穴９に棚板１に設けた爪６がはまるように、しっかりと差込む。これで棚板１抜け止め爪と角穴がかみあい、側板７から安易に抜けなくなる．【００１１】図５の実施例において、２番めの棚板を１番目の棚板と同じ要領で、１番目の背板３と２番目の棚板の前板２を合わせるように側板７に差込む．【００１２】図６の実施例では、３番めの棚板１を２番目の棚板１と同じ要領で組立てる。これで３段のケースが完成する。
【考案の効果】
【００１３】本考案は、以上説明したように構成されるので、以下のように効果を奏する．
【００１４】棚板と側板に設置してある抜け止め爪と角穴がはまりあうことで容易に抜けなくなり、しっかりしたケースを作成することが出来る．
【００１５】底板、前板、背板が一体であるため非常に組立てが簡単に出来る．
【図面の簡単な説明】
【００１９】
【図１】  １段目の組立て斜視図
【図２】  棚板斜視図
【図３】  側板斜視図
【図４】  抜け止め詳細
【図５】  二段目の組立斜視図
【図６】  完成図
【符号の説明】
１  棚板
２  前板
３  底板
４  背板
５  溝穴
６  爪
７  側板
８  縦溝穴
９  角穴
【図１】
0003108782.tif 000003
【図２】
0003108782.tif 000004
【図３】
0003108782.tif 000005
【図４】
0003108782.tif 000006
【図５】
0003108782.tif 000007
【図６】
0003108782.tif 000008
【手続補正書】
【提出日】平成16年10月14日(2004.10.14)
【手続補正２】
【補正対象書類名】実用新案登録請求の範囲
【補正対象項目名】全文
【補正方法】変更
【補正の内容】
【実用新案登録請求の範囲】
【請求項１】
底板の一端を折り曲げた前板と前板の折り曲げ線に対向する底板の一端を折り曲げた背板を有する棚板と、側板を組合せて作成する組立ケース。
【請求項２】
前板、底板、背板の左右に溝を設け、背板の溝の一部に抜け止め爪を有する請求項１記載の棚板と、棚板の溝と抜け止め爪に対応する溝と角穴を有する側板で組立てる組立ケース．
(57)【要約】      （修正有）【課題】ガードルの不快をなくしつつ、美しいヒップラインを再現させる。【解決手段】ヒップをアップさせる収縮性のある別布をお腹中にまで続けてＷの効果で寄せて引き上げる。引き上げてきたお肉を納まるように伸縮性ある生地で立体裁断する。寄せてあげてのＷの効果と立体裁断で美しいヒップラインを作り、下腹部はゆるみ過ぎないように収縮性ある別布で作り、下腹部より下をなくし半製品にすることにより、締めつけ感、暑苦しさを無くす。【選択図】図１
0003108787.tif 000002
【実用新案登録請求の範囲】
【請求項１】
ガードルの半製品（後と前半分）をボトムに付ける。
ガードル本体を伸縮性を出し、別布を収縮性ある生地で作り、別布は後から前につなげ持ち上げる効果をさらにＵＰさせる。
【考案の詳細な説明】
【技術分野】
【０００１】お腹中とヒップを補正する収縮性ガードルの半製品をボトムにつける。
【背景技術】
【０００２】ガードルをはくのは暑苦しく、締めつけ感が不快であるがヒップラインを美しくしたい。
【考案の開示】
【考案が解決しようとする課題】
【０００３】締めつけ感をなくし、いかに寄せてあげるかを目的とする。
【課題を解決するための手段】
【０００４】  ヒップをアップさせる収縮性のある別布▲１▼をお腹中にまで続けて、Ｗの効果で寄せて引き上げる。
別布▲１▼を脇から３ｃｍ内側を通り、ヒップラインより６ｃｍ〜８ｃｍ外側を通ることにより、より効果を出す。Ｗの効果は後ろから切れることなく前に繋がるので、より引き上げる効果がある。
その引き上げてきたお肉を納まるように伸縮性のある生地▲２▼で立体裁断する。また、より立体感を出す為にギャザーを入れ、ヒップの高さを出し、美しいヒップラインを作る。
お腹中に続く別布▲１▼は収縮性があるため、お腹まわりもゆるみ過ぎず、美しいラインを再現できる。
別布▲１▼の下に２が９ｃｍ巾で２段階で、補正することによりボトムに別布▲１▼のラインが響くことなく美しく見える。
【課題の効果】
【０００５】Ｗの効果と立体感で美しいヒップラインを作り、下腹部はゆるみ過ぎないように収縮性ある別布で作り、下腹部より下をなくし半製品にすることにより、締めつけ感、暑苦しさをなくす。
【図面の簡単な説明】
【０００６】
【図１】収縮性ある生地と伸縮性ある生地で出来上がった半製品を立体で示した図
【図２】収縮性ある生地のみを示した平面図
【符号の説明】
【０００７】▲１▼  収縮性あるパーツ
▲２▼  伸縮性あるパーツ
【図１】
0003108787.tif 000003
【図２】
0003108787.tif 000004
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
後身頃は股まで全面は、下腹部より下がない伸縮性半製品ガードルが付く補正効果ボトム。
【請求項２】
前記半製品ガードルは、脇で切れずバックセンターからお腹まで引き上げる収縮性のある別生地により構成された請求項１記載の補正効果ボトム。
【請求項３】
前記半製品ガードルは、伸縮性ある生地で立体裁断された請求項１記載の補正効果ボトム。
【手続補正２】
【補正対象書類名】明細書
【補正対象項目名】全文
【補正方法】変更
【補正の内容】
【考案の詳細な説明】
【技術分野】
【０００１】  本考案はお腹とヒップを補正し、かつ不快感をなくす為の、ガードルの半製品が付く補正効果ボトム。
【背景技術】
【０００２】  ガードルをはくのは暑苦しく、締めつけ感が不快であるがヒップラインを美しくしたい。
【考案の開示】
【考案が解決しようとする課題】
【０００３】後も前に全面では、特に足のつけ根の締めつけ感が不快である。
後ろ全面だけでは、引き上げ効果も少ない。
【課題を解決するための手段】
【０００４】  ヒップをアップさせる収縮性のある別布▲１▼で、バックセンターからお腹まで切れる事なく繋がり、Ｗの効果で寄せて引き上げる。
別布▲１▼を脇から３ｃｍ内側を通り、ヒップラインより６ｃｍ〜８ｃｍ外側を通ることで、より効果を出す。Ｗの効果は後ろから切れることなく前に繋がるので、より引き上げる効果がある。
その引き上げてきたお肉を納まるように伸縮性のある生地▲２▼で立体裁断する。また、より立体感を出す為にギャザーを入れ、さらに強化しヒップの高さを出し、美しいヒップラインを作る。
お腹に続く別布▲１▼は収縮性があるため、お腹まわりもゆるみ過ぎず、美しいラインを再現できる。
別布▲１▼の下に▲２▼が９ｃｍ巾で２段階で、補正することによりボトムに別布▲１▼のラインが響くことなく美しく見える。
【課題の効果】
【０００５】Ｗの効果と立体感で美しいヒップラインを作り、下腹部はゆるみ過ぎないように収縮性ある別布で作り、下腹部より下をなくし半製品にすることにより、締めつけ感、暑苦しさをなくす。
【図面の簡単な説明】
【０００６】
【図１】  収縮性ある生地と伸縮性ある生地で出来上がった半製品を立体で示した図
【図２】  収縮性ある生地のみを示した平面図
【図３】  半製品ガードルがボトムに付いた内側の図
【符号の説明】
【０００７】  ▲１▼  収縮性あるパーツ
▲２▼  伸縮性あるパーツ
【手続補正３】
【補正対象書類名】図面
【補正対象項目名】全図
【補正方法】変更
【補正の内容】
【図１】
0003108787.tif 000005
【図２】
0003108787.tif 000006
【図３】
0003108787.tif 000007
(57)【要約】      （修正有）【課題】曲がった標識支柱を矯正する道路標識修理具を提供する。【解決手段】湾曲鋼板２を支柱の変形凸部にあて、フックの付いている鎖４を鋼管１と支柱に連結し、鋼管１内部よりやや細く、長い鋼管を差し込み引き下げることによりてこの原理で変形支柱を矯正する。【選択図】図１
0003108785.tif 000002
【実用新案登録請求の範囲】
【請求項１】
標識板を支持する破損し、屈曲した支柱を、てこの原理を使い、矯正する道路標識修理具。
【請求項２】
鋼管（１）の下部に湾曲鋼板（２）を斜めに取り付け、上部に穴あき鋼板（３）を取り付けた物。
【請求項３】
フックの付いてる鎖（４）にゴム板，巻き（５）した物。
【考案の詳細な説明】
【考案の詳細な説明】
【考案に属する技術分野】
【０００１】この考案は、てこの原理を利用し、曲がった標識支柱を矯正する物である。
【背景技術】
【０００２】従来、支柱の下部を補強、補修する、方法があった。（特許文献、１）、また、曲がった支柱を矯正する、方法があった。（実用新案文献、２）【０００３】
【特許文献、１】
特開平０４−２３７７０８
【実用新案文献、、２】
実開平０６−３０２０８
または、曲がった支柱は、人力で掘り起し、ハンマーでたたいて曲がりを直すか、新しい物に交換していた。
【考案を解決しようとする課題】
【０００４】本案は、降雪時の道路除雪の為に標識支柱の変形が多くその復旧が必要である。作業は供用道路上の為、短時間に作業を終了する事が安全性の面でも必要となる。
【課題を解決するための手段】
【０００５】いまその解決手段を図面に追いながら説明すれば。
（イ）、湾曲鋼板（２）を支柱の変形凸部にあて、フックの付いている鎖（４）を鋼管と支柱に連結し、鋼管（１）内部よりやや細く、長い鋼管を差込み引き下げる事により、てこの原理で変形支柱を矯正する。
【考案を実施するための最良の形態】
【０００６】本案は、以上の様な構造であるから、これを使用するときは、鋼管の下部の湾曲部（２）を変形支柱の凸部にあて、上部の鎖のフックを鎖の穴に通し固定し、ゴムの部分を支柱にあて鋼管内部より少し、細く、長い鋼管を、差込み、引き下げるものである。【０００７】なお、本考案の実施に当って次の様なことが出来る。
（イ）鎖の代わりにワイヤー又は強力なロープで作業できる。
【考案の効果】
【０００８】したがって、供用道路上であっても少ない力で、早く、安全に出来る。
【図面の簡単な説明】
【図１】本考案の側面図
【図２】本考案のフックの付いている鎖
【図３】本考案の斜視図
【符号の説明】
１、鋼管
２、湾曲鋼板
３、穴あき鋼板
４、フックの付いている鎖
５、ゴム板巻き
【図１】
0003108785.tif 000003
【図２】
0003108785.tif 000004
【図３】
0003108785.tif 000005
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
「標識板を支持する、破損し屈曲した支柱を、てこの原理を使い、矯正する道路標識修理具であって、鋼管（１）の下部に湾曲鋼板（２）を斜めに取り付け、上部に穴あき鋼板（３）を取り付け、穴あき鋼管（３）にフックの付いている鎖（４）を通したことを特徴とする、道路標識修理具。」
【請求項２】
「請求項１記載の道路標識修理具であって、フックの付いている鎖（４）にゴム板を巻いたものである、請求項１記載の道路標識修理具。」